(57)【要約】      （修正有）【課題】使用に際して特別な技術も要らず、構造が簡単かつ安価な器財で、水などを点滴状態で植物に供給出来る園芸用点滴管を提供する。【解決手段】管の入り口と出口、約２０センチメートルに、内径に適合した太さの園芸用モール・タイを挿入し、水などを通すと、繊毛の間をゆっくりとしみ通るように流れて、管の出口から水滴になって落ちる、点滴状態が発生する。落差による水圧を一定に保てば、点滴状態は変化することなく続く。バルブ等の器具も不要で、費用も僅かで済む上、操作も至極簡単である。【選択図】図２
0003149513.tif 000002
【実用新案登録請求の範囲】
【請求項１】
園芸・農林業などで植物（種・苗を含む）を育成・栽培する時、必要とされる潅水・施肥・施薬等の液体を、管を用いて供給する際に、それを流水ではなく少量・微量の水滴にし、長時間に渉る供給を可能にするため、管を通して、或いは片側または両端の中空部分に園芸用モール・タイを挿入・充填し、その繊毛の間を液体が浸み通り、点滴状態になって出る事を特徴とした管。
【考案の詳細な説明】
【技術分野】
【０００１】  本考案は、園芸・菜園・農業・林業等の分野において、育成する植物（種・苗を含む）に必要な水などを、点滴の状態で供与するためのものである。
通常の「潅水」（みずやり）は、「如雨露亅（じょうろ）や「シャワー」等の細い「流水」でなされるが、この「流水」では短時間で多量の水などが供給されるため、その流量が多すぎて都合が悪い場合も生じる。
特に、液体肥料による施肥や、病気の植物に与える液体の各種治療薬、また微生物や害虫などの被害を防除するための薬剤液などは、一時に多量を与えても、生物体である植物が受け入れられる以上の量は無駄になるばかりか、過剰供給による副作用が起きる場合がある。（上記やそれ以外の各種の液体を、以後省略して「水など」と表現する）
従って、この水などを微量づつ、かつ長時間にわたって供給し続けるために、「流水」ではなく、「点滴」にして送る方法が適しており、そのための技術が求められる。
人間の患者に供される医療用の点滴器材は、高度の技術と材質で衛生的に作られているが、それをそのまま園芸用に転用するには、値段が高すぎて無理な事は明白である。
故に、使用に際して特別な技術も要らず、構造が簡単かつ安価な器材で、水などを点滴状態で植物に供給出来る方法として、園芸用点滴管を考案したものである。
【背景技術】
【０００２】  水などが滴（しずく）状態になるには、いろいろな条件・環境・方法がある。
代表的なものは雨水で、蒸発した水蒸気が、高空で冷えて水滴（雨）になることは周知の通りである。
また、人工的に水滴を作る場合、その一つに送水管に流量を調節できるバルブ（水栓）を取り付ける事である。この水栓をごくわずかに緩めると、水などが流水ではなく、「滴」（しずく）となって落ちることになる。
このことは  上水道のケレップゴム（蛇口内のパッキング）が減ってきたときに、水滴の状態で蛇口から水漏れが生じる事からも、よく知られている現象である。
また、医療用の点滴器材では、輸液管の中間に「クレンメ」と呼ばれる、上記のバルブに相当して液量を調節する器具が取り付けられている。常に看護師等の医療関係者がこのクレンメを操作して、その患者に、最も適切な量を調節して輸液を点滴しているが、どちらも機構的に水などの通り道を狭めることにより、流量を制限して点滴状態を作りだしていることに変わりはない。
本考案では、これらの「管を通る水などを、機構的な装置を用いてその流量を抑制・調節し点滴状態を作る」方法ではなく、「管」そのものが水などを点滴状態にする形態を取るため、バルブやクレンメなどの流量調整器が不要になるだけでなく、その構造が単純化され、操作が容易になると共に、極めて安価な材料で十分に希望する点滴状態が得られるなど、全く新しい方式を取っている。
この説明で「管」とあるのは、いわゆる「くだ」の事であり、円形の穴が連続して続く中空の物質で、その材質・太さ・内径・外径・肉厚・長さなどは問わない。
材質は、鉄・銅・真鍮・アルミ・ステンレスなどの金属や、プラスチック・ビニール・ウレタン・シリコン・ゴムなどの化学製品も含む。
太さや形状が異なっても、また呼び名が違っていても同様である。たとえば、パイプ・ホース・チューブなどと呼び名が違っていても、その中空部分に水などの液体を流通させることが出来るものは、同じものとする。
本考案の「園芸用点滴管」は、この「管」の中空部分の穴に、その内径に適合した直径の「園芸用モール・タイ」を約２０センチほど挿入するという、簡単かつ安易な作業をするだけで、以後、任意の量の水などを永続的に、点滴状態で流通・供給出来る機能を有する。
この「園芸用点滴管」に使用する「園芸用モール・タイ」（実用新案登録第３１４２０３６号）は、針金（ステンレス線）の芯と、化学・合成繊維からなる繊毛をもつ、水などに接しても錆びたり腐蝕したり、また繊毛が倒れたりしない特殊なモール製品であり、芯材の金属の針金が一定の堅さを保つため、繊維だけで構成する「紐」と異なり、管中に挿入するのは容易である。この点滴管の一端を水中に漬け、管の中に水などを満たしてから一定の水圧を掛けると、管に挿入・充填されたモールの繊毛の間を、ゆっくりとくぐり抜けて水などが流れる事により、点滴状態が発生する。
普通に管を用いると水などの液体は、支障なくその中をスムーズに流れる。
ここで管の中空部分に水などの流通を遮る「物質」を隙間無く詰めると、当然水などは全く流れなくなる事は自明である。
しかし、管中に挿入された園芸用モール・タイは、「物質」ではあるが、その形状は平面的な織物と異なり立体的である。
すなわち細いステンレスの針金２本の間に裁断された繊維が、針金と直角に撚り込まれた結果、放射状に繊維の切り口を外側にした棒状をしており、これを管中に挿入すると、その繊維の間には、十分な隙間があるため、「管」に水などを入れると、この隙間に水などがしみ込んで隙間を満たしてしまう。そして、この水などが繊毛の隙間に満たされた状態の時に一定方向に圧力を掛けると、管中の水などは、押された方向へ繊毛の間をゆっくりと移動する。
圧力が強ければ速い速度で進み、弱ければ緩やかな速度で進む。圧力が無くなれば、水などは管中の繊毛の間に留まったままの状態を保つ。
つまり、管の中に詰め物をして、流通を完全に遮断した状態と、何の障害もなく管中には水などの流れを遮るものが無い状態との、中間の状態と言えよう。
水などの流れを、園芸用モール・タイの繊毛が抵抗してブレーキの働きをするために勢いよく「流れる」と言うより、管中を「浸み通る」と言う表現が適切と思われる。
この管中より水などが「浸み通る」状態を生み出すのが落差による水圧である。
水などの液体は、地球重力の影響で、常に低所へ移動する性質がある。今、高い位置にある液体は、遮るものが無い場合、より低い位置に移動するが、水などが「流れる」という表現が、この現象を現している。
園芸用点滴管の一方を、高い位置にある水源（たとえば水などが入った容器）の中に入れて固定し、もう一方をより低い位置に固定した状態で、管の中を水などで満たすと、高低差のある水などの回路が出来上がり、この回路を通じて水などが高所より低所へ流れるようになる。
水などの流れる強さは、高低の位置の差に比例する。この位置の差（落差）が大きいほど強い力が働いて早く流れる。
必要な点滴の水量を決めるには、落差を利用して水圧を加減し、点滴の間隔を短くしたり長くしたりして、水滴の落ちる早さを調整すればよい。間隔が短く、早ければ水などの供給量が増え、間隔が長ければ当然に供給量が減る。
その他にも、点滴の間隔を調整する要素の一つに、管の中に挿入する園芸用モール・タイの繊毛の密度がある。繊毛が多くて密度が混んでいれば水などの流れが抵抗を受けて遅くなり、密度が薄く、いわゆる「透け透け」ならば、早くなるのは当然である。
園芸用点滴管の水源側の先端（以後、管の「入り口」という）の位置と、植物に供給する側の先端（以後、管の「出口」という）の位置との高低差を調整することで、求める点滴の最適水量が得られるのである。
端的に言えば「水などの容器を高くすれば水圧が高くなって、点滴が早まり、低くすればゆっくりになる」のである。
故にこの園芸用点滴管には、流量を調節する「バルブ」や「クレンメ」は必要がない。
勿論、容器に入れた水などを高い位置にしたり、低い位置にしたりする以外にも、点滴の間隔を調節する事が出来る。
たとえば、上水道に連結すれば、水道の蛇口で流量は加減できるし、ポンプを使えばその駆動量で流量の調節が可能である。
管中に水などを満たす方法としては、専用の「吸い出しポンプ」を用い、手動で導水するのが普通である。しかし、屋内など電気が使える場合は、電気掃除機を利用することも出来る。この方法は、厚紙やプラスチックの板に、園芸用点滴管の太さと同じ大きさの穴をあけて、この穴に管を数ｃｍ差し込み、掃除機の吸い込みホースを蓋するのである。掃除機のスイッチを入れると管中の空気が吸い込まれ、極めて短時間の内に導水が完了する。
管中に水などが通ったら、掃除機のホースを厚紙などから離せばよい。
注意しなければならないのは、園芸用点滴管は、管中の繊毛の間を水などがくぐり抜けて浸みだすことにより、点滴状態が発生するが、この水などはあくまで粘性のない液体に限られる。
粘性の高い、いわゆる粘っこい液体は，繊毛が抵抗になって流れを阻害するため、浸みだしてこない。
また、水などの中に、浮遊物や泥・ゴミ・埃が混じっていることも不可である。これも繊毛の間に引っかかるため、フィルターの目詰まりのような状態になり、本来の働きが阻害されてしまうからである。
清澄で粘性のない水などならば問題ないが、雨水・井戸水・河川の水などは、一見綺麗に澄んでいるように見えても、細かい埃や泥・微生物などが存在するため、管中に挿入した園芸用モール・タイの繊毛に引っかかり、それが次第に溜まって流れの邪魔をする場合がある。
したがって、この微細なゴミなどの対策として、管の出口だけでなく、入り口にも園芸用モール・タイを挿入することが求められる。
水などを点滴状態にするだけならば、管の出口に園芸用モール・タイを約２０センチほど挿入するだけで十分な効果が得られるが、この場合、水などに細かい異物が混じっていると、管中のモールタイに目詰まりが生じて効率が落ちる結果になる。
これを防ぐためには、管の入り口にもモールタイを挿入しておくと、ゴミなどの異物は入り口でモール・タイの繊毛に引っかかるために、出口のモール・タイまで届かない。
ビニール管などの透明な管の場合、入り口のモール・タイの繊毛に異物が溜まっている事が変色などで視認出来るので、この入り口のモール・タイを少し管から引き出して、汚れた部分１〜２ｃｍを切り捨てるだけで再び機能が回復するのである。
この現象を逆に利用して、園芸用モール・タイの繊毛による、ゴミや泥粒などを除去するための濾過装置にも応用することが可能である。
【考案の開示】
【考案が解決しようとする課題】
【０００３】  園芸・農林業などで、植物を育成・栽培するにあたり、時として必要に応じて潅水・施肥・施薬等がなされるが、通常これらを液体の状態で行う場合、その方法として、最も一般的なものは、如雨露（ジョウロ）或いはスプリンクラーなどの流水で行われる。
しかし、これらの流水は、一時に多量の水などが供給されるため、実施する時間を短くし、その分回数を頻繁に行わなければならない。時間が長いと供給過剰になり、無駄に流れ去るだけでなく、植物に悪影響を及ぼす事さえ生じかねない。
このため、必要に応じスプリンクラーや、シャワー・ミストなどを、時間が来れば一定時間だけ給配水する電動の時限装置を設備する場合が多い。
そこで、これら潅水・施肥・施薬を実施する際に、効率良く行うための一手段として、この液体を流水ではなく点滴状態にして、時間を掛けて、少量・微量づつ供給することが望まれるのである。
【課題を解決するための手段】
【０００４】  本考案はこの点滴状態を、園芸用モール・タイを挿入した管を用いて、水源と供給先との落差による水圧を利用するだけで作りだすという、極めて単純な方法で実現したものである。
またその構造は管と園芸用モール・タイのみで構成し、複雑な機械や部品は一切用いていない。構造が簡単であるため故障や破損によるトラブルは起こらず、電気その他のエネルギー源も不要である。極めて安価な材料で十分にその機能を発揮できるのである。
【考案の効果】
【０００５】  本考案の園芸用点滴管の使用例としては、京都府の複数の研究者による、里山での松茸の生産増加を推進するプロジェクトに採用され、松茸の胞子が飛散する範囲（シロと呼ばれている）の山地に湿度を維持するために使用された結果、適度の湿度を供給出来ることが確認され、大学教授などの研究者にその効果を認められた。また、合わせて水やりの労力が軽減できるなどの省力効果も認められている。
（従来は谷水を汲み上げてタンクに溜め、配管した塩化ビニールの水道管に多数の小さな穴を開けたものに通水し、散水していたが、一度に与える水量が多すぎるのが難点で、ごく短時間の散水を頻繁に繰り返すなどしていた）
【図面の簡単な説明】
【図１】  園芸用点滴管の構造をわかりやすくするために拡大して表したものである。１は、園芸用点滴管を構成する管である。２は、管切断部分を縦に見た図、つまり断面である。３は園芸用モール・タイを横に見た図である。４は園芸用モール・タイの断面図である。５は管１の中空部分に園芸用モール・タイ３を挿入した状態を示し、園芸用点滴管の完成品であるが、その内部が分かるように先端部分を切開した断面を見せているものである。６はその断面図である。
【図２】  園芸用点滴管の使用例を表したものである。点滴を受ける植物８の根元に園芸用点滴管５の一端を配置し、反対側の一端を供給源になる水などの液体を満たした容器７の底に沈めておく。園芸用点滴管５の中に水などを導入して、容器７を植物８よりも高い位置に置くと、落差による水圧が生じ、管中のモールタイの繊毛をくぐり抜けた水などが浸み出して点滴が行われる。
【図１】
0003149513.tif 000003
【図２】
0003149513.tif 000004